(57)【要約】      （修正有）【課題】建物の壁面に沿って配置される煙突の保持を確実、且つ煙突の破損や保持環部の破損を防ぐ。【解決手段】建物Ａの壁面Ａ１に沿って配される煙突Ｂを支持するサポート装置１であって、壁面Ａ１に固定される取付け部２０を有すると共に、壁面Ａ１から外方へ突出するように形成された固定部２と、固定部２の外方側の端部に配置され、煙突Ｂをこの煙突Ｂの少なくとも半周を超える範囲を囲んで保持するように形成された保持部３とを備え、保持部３は、保持部３の周面の周方向の全域にわたり、煙突Ｂの直管Ｂ１と接続管Ｂ２の接続状態を保持する締め付けバンドＣの全周が嵌まり込むように形成された空間Ｓを有する。【選択図】図２
2015197238.tif 000002
【特許請求の範囲】
【請求項１】
建物の壁面に沿って配される煙突を支持するサポート装置であって、前記壁面に固定される取付け部を有すると共に、前記壁面から外方へ突出するように形成された固定部と、前記固定部の外方側の端部に配置され、前記煙突を該煙突の周囲の少なくとも半周を超える範囲を囲んで保持するように形成された保持部と、を備え、前記保持部は、該保持部の周面の周方向の全域にわたり、前記煙突の直管と接続管の接続状態を保持する締め付けバンドが嵌まり込むように形成された空間を有していることを特徴とするサポート装置。
【請求項２】
前記保持部が前記煙突の周囲の全周を囲む環状に形成されていることを特徴とする請求項１記載のサポート装置。
【発明の詳細な説明】
【技術分野】
【０００１】
本発明は、建物の壁面に沿って配される煙突を支持するサポート装置に関する。
【背景技術】
【０００２】
建物の壁面に沿って配される煙突を壁面に支持するサポート装置は、下記特許文献１に記載されているように、煙突を囲むように保持する保持環部と、この保持環部に設けられ、壁面に固定される支持脚を備えたものが知られている。
【０００３】
特許文献１に記載の従来技術によると、建物の壁面に沿って配された煙突の風による傾倒や折れ曲がり等を防ぐと共に、煙突の配置状態を保持することができる。
【０００４】
特許文献１に記載の従来技術による煙突は、ステンレスの薄板を用いて形成された直管、及びこの直管同士を接合するエルボ管等の接続管を用いて構成されるものである。
【０００５】
このような煙突における直管と接続管との接合構造は、通常、接続管に直管を挿し込むと共に、直管が挿し込まれた部位に対応する接続管の周囲を締め付けバンドで締め付けることで、直管と接続管との接合状態を保持する構造である。
【０００６】
また、煙突の接合部位は、直管と接続管とが厚み方向で重なり合う部位であって、煙突の全域において最も厚みを有する部位であるので、締め付けバンドによる締め付け、及び保持環部による煙突の保持を行う部位として好ましい部位である。
【先行技術文献】
【特許文献】
【０００７】
【特許文献１】特開２００７−２７８６１７号公報
【発明の概要】
【発明が解決しようとする課題】
【０００８】
サポート装置には、特許文献１に記載の従来技術のように、保持環部の幅が狭いものの他に、図１０に示すように、接続管３０１の長さと同等以上となる幅、或いはわずかに短い幅にされた保持環部２００を備えたサポート装置１００がある。
【０００９】
このような保持環部２００を備えたサポート装置１００によると、広い範囲で煙突３００の周囲を保持することができるので、煙突３００に対して倒れる方向の力が作用したときに、この力を保持環部２００の広い面で分散して受けることができ、これによって、保持環部２００への接触圧による煙突３００及び保持環部２００の破損や変形等の発生を防ぐことができると共に、より確実に煙突３００を保持することができる。
【００１０】
保持環部２００は、接続管３０１と直管３０２との接続の境となる接合部４００の周囲、及び接続管３０１と直管３０２が厚み方向で重なり合い、煙突３００の全域で最も厚い部位となる接続管３０１の周面を含む部位に配置することが、接続管３０１と直管３０２の接合状態を保持すると共に、保持環部２００への接触圧による煙突３００の破損や変形等の発生を防ぐという点で好ましい。
【００１１】
しかしながら、前述のように煙突３００の全域で最も厚い部位には、締め付けバンド５００が配置されているため、保持環部２００を前述のような好ましい位置に配置することが困難であるという問題があった。
【００１２】
特に、締め付けバンド５００の配置位置は、直管３０２と接続管３０１との接合部４００の周りであることが、接続管３０１と直管３０２との接続を保持すると共に、接合部４００の破損や変形等を防止するという点で好ましいが、この部位に締め付けバンド５００を配置した場合、保持環部２００を前述の好ましい位置に配置することができないという問題があった。
【００１３】
本発明は、このような問題に対処することを課題の一例とするものである。すなわち、締め付けバンドと保持環部とを、接続管の周面における好ましい配置位置に配置できること、これによって、煙突を構成する直管と接続管との接合状態の保持の確実性を高めることができること、建物の壁面に沿って配置される煙突の保持を確実にでき、且つ煙突の破損や保持環部の破損を防ぐことができること、等が本発明の目的である。
【課題を解決するための手段】
【００１４】
このような目的を達成するために、本発明による煙突のサポート装置は、以下の構成を少なくとも具備するものである。
【００１５】
建物の壁面に沿って配される煙突を支持するサポート装置であって、前記壁面に固定される取付け部を有すると共に、前記壁面から外方へ突出するように形成された固定部と、前記固定部の外方側の端部に配置され、前記煙突を該煙突の周囲の少なくとも半周を超える範囲を囲んで保持するように形成された保持部と、を備え、前記保持部は、該保持部の周面の周方向の全域にわたり、前記煙突の直管と接続管の接続状態を保持する締め付けバンドが嵌まり込むように形成された空間を有していることを特徴とするサポート装置である。
【図面の簡単な説明】
【００１６】
【図１】本発明に係る第一実施形態のサポート装置により煙突を建物に配した状態の正面図である。
【図２】図１の要部拡大図である。
【図３】図２の（３）−（３）線断面図である。
【図４】サポート装置の正面分解図であり、一部切欠して示す。
【図５】図４の（５）−（５）線断面図である。
【図６】調節板を介してサポート装置を壁面に取り付けた状態の正面図である。
【図７】図６の（７）−（７）線断面図である。
【図８】本発明に係る第二実施形態のサポート装置の正面分解図であり、一部切欠して示す。
【図９】図８の（９）−（９）線断面図である。
【図１０】従来のサポート装置により煙突を建物に配した状態の正面図である。
【発明を実施するための形態】
【００１７】
本発明では、前記保持部が前記煙突の周囲の全周を囲む環状に形成されていることが好ましい。
【００１８】
前記空間が、前記締め付けバンドの最も幅広の部位よりも幅広であることが好ましい。
【００１９】
前記保持部が、前記煙突の軸方向に沿って隣り合うように配される二個の環状部材を有し、前記環状部材が、該環状部材の間に、前記空間を確保して配されていることが好ましい。
【００２０】
また、前記保持部が、前記煙突の径方向で二分割された円弧部材を有し、前記円弧部材同士を径方向で連結することで構成され、前記円弧部材の両端部には、該円弧部材同士を径方向で連結する円弧部材連結部が備えられていることが好ましい。
【００２１】
また、前記円弧部材連結部が前記被連結部を兼用するものであることが好ましい。
【００２２】
以下、本発明に係る第一実施形態のサポート装置１を図１〜図７に基づいて説明する。尚、以下で説明する各実施形態は、本発明を限定するものではない。
【００２３】
サポート装置１は、建物Ａの壁面Ａ１の上下に沿って配される煙突Ｂを支持するものであり、壁面Ａ１に固定する固定部２と、固定部２に着脱自在に連結され、煙突Ｂの周囲を囲むようにして、この煙突Ｂを保持する保持部３とを備えている。
【００２４】
尚、本実施形態では、保持部３を保持環部３とする。
【００２５】
煙突Ｂは、複数の直管Ｂ１と、煙突Ｂの配管道中を屈曲させるように直管Ｂ１同士を接続する二個の接続管Ｂ２とから構成され、この配管道中の二カ所がサポート装置１で支持されている。
【００２６】
壁面Ａ１に平行に沿う直管Ｂ１と接続管Ｂ２との接合部Ｂ１０には、接続管Ｂ２に挿し込み接続される直管Ｂ１と接続管Ｂ２との接続状態を保持する締め付けバンドＣが巻回締め付けされている。
【００２７】
接続管Ｂ２は、図示においては、３０度エルボが用いられているが、これは、煙突Ｂの配管形状に応じて、４５度エルボや９０度エルボ等を適宜用いることができる。
【００２８】
固定部２は、図２〜図５に示すように、壁面Ａ１に対面する取付け部２０と、取付け部２０の、煙突Ｂの軸方向に対して交差する両端部に、壁面Ａ１から外方へ突出するように設けられた支持部２１と、支持部２１の先端に保持環部３を支持部２１に連結する連結部２２とを備えている。
【００２９】
固定部２は、一枚の薄状金属板を、凹形状を呈するように折り曲げ形成することで、取付け部２０、及び支持部２１、並びに連結部２２を備えた形態にされている。
【００３０】
取付け部２０は、複数のビス孔Ｄ１が形成されており、このビス孔Ｄ１からビスＤを貫通させて壁面Ａ１に螺合締め付けすることによって、固定部２を壁面Ａ１に取り付けることができるようになっている。
【００３１】
支持部２１は、取付け部２０の両端部から壁面Ａ１の外方へ突出するようにされており、連結部２２を介して連結された保持環部３によって、壁面Ａ１から離間した位置に配される煙突Ｂを支持することができるようになっている。
【００３２】
支持部２１の側面には、壁面Ａ１と煙突Ｂとの距離に対応してその距離を調節するための調節板２Ａを連結する長孔Ｅ１が開孔されている。
【００３３】
長孔Ｅ１は、長手方向を支持部２１の突出方向に沿う方向とするものであり、同じ長さの長孔Ｅ１が上下方向に沿って三個設けられている。
【００３４】
ここで調節板２Ａは、図６、図７に示すように、一枚の薄状金属板を凹形状となるように折り曲げ形成したものであり、壁面Ａ１に固定される取付け部２０Ａと、取付け部２０Ａの両端部から壁面Ａ１の外方に突出すると共に、支持部２１に対面するように形成された調節部２１Ａとを備えている。
【００３５】
取付け部２０Ａは、複数のビス孔Ｄ２が形成されており、このビス孔Ｄ２からビスＤを貫通させて壁面Ａ１に螺合締め付けすることによって、調節板２Ａを壁面Ａ１に取り付けることができるようになっている。
【００３６】
調節部２１Ａには、長手方向を支持部２１の長孔Ｅ１と同方向とする長孔Ｅ２が上下方向に三個形成されており、長孔Ｅ１、Ｅ２同士を対面させると共に、調節部２１Ａと支持部２１とを対面させ、この調節部２１Ａと支持部２１とを、両長孔Ｅ１、Ｅ２を介してボルト・ナットＥで締め付けることで連結すると共に、ボルト・ナットＥを緩めることによって、支持部２１の突出方向に沿って固定部２をスライドさせることができるようになっている。
【００３７】
すなわち、煙突Ｂの配置道中において、屋根Ａ２等の張り出し部分を回避するために、壁面Ａ１に対する煙突Ｂの配置位置の距離を変更する場合があるが、このような場合でも調節板２Ａに対して固定部２をスライドさせることで、壁面Ａ１に対する煙突Ｂの配置位置の距離を変更することができる。
【００３８】
連結部２２は、支持部２１に対して固定部２の内側に向かって傾斜するように折り曲げ形成されており、その側面には、三カ所のビス孔Ｄ３が上下方向に沿って設けられている。
【００３９】
このような連結部２２は、連結部２２と保持環部３に形成された後述する被連結部３０Ｅとを、ビス孔Ｄ３を介してボルト・ナットＥで締め付けることによって、保持環部３を連結できるようになっている。
【００４０】
連結部２２は、その側面に保持環部３の後述する空間Ｓと連続するように形成された空間Ｓ１が設けられており、この空間Ｓ１を境に、直管側連結部２２Ａと、接続管側連結部２２Ｂとに分割され、この直管側連結部２２Ａと接続管側連結部２２Ｂの夫々で保持環部３を連結するようにされている。
【００４１】
直管側連結部２２Ａは、接続管側連結部２２Ｂよりも幅広（軸方向の高さ）に形成されており、直管側連結部２２Ａのビス孔Ｄ３を二個とし、接続管側連結部２２Ｂのビス孔Ｄ３を一個としている。
【００４２】
尚、直管側連結部２２Ａ、及び接続管側連結部２２Ｂの幅関係は、接続管Ｂ２の直管Ｂ１が挿し込まれる部位の長さに応じて変更することができる。
【００４３】
保持環部３は、煙突Ｂの軸方向に沿って隣り合うように配される直管側環状部材３０、及び接続管側環状部材３１を有しており、直管側環状部材３０と接続管側環状部材３１との間に前述の空間Ｓを確保して配置されている。
【００４４】
直管側環状部材３０は、締め付けバンドＣが巻回締め付けされる煙突Ｂの直管Ｂ１と接続管Ｂ２との接合部Ｂ１０を境にして直管Ｂ１を保持するようにされている。
【００４５】
接続管側環状部材３１は、接合部Ｂ１０を境にして接続管Ｂ２を保持するようにされている。
【００４６】
直管側環状部材３０は、固定部２側の円弧部材３０Ａと、円弧部材３０Ａに対して煙突Ｂの径方向から連結された円弧部材３０Ｂと有している。
【００４７】
接続管側環状部材３１は、固定部２側の円弧部材３１Ａと、円弧部材３１Ａに対して煙突Ｂの径方向から連結された円弧部材３１Ｂと有している。
【００４８】
円弧部材３０Ａと円弧部材３０Ｂの両端部には、円弧部材３０Ａと円弧部材３０Ｂとを連結する円弧部材連結部３０Ｃ、３０Ｄが設けられている。
【００４９】
円弧部材３１Ａと円弧部材３１Ｂの両端部には、円弧部材３１Ａと円弧部材３１Ｂとを連結する円弧部材連結部３１Ｃ、３１Ｄが設けられている。
【００５０】
円弧部材連結部３０Ｃ、３０Ｄ、３１Ｃ、３１Ｄは、夫々、保持環部３の径方向外側に突出すると共に、連結部２２と正対して対面する角度として形成されている。
【００５１】
また、円弧部材連結部３０Ｃ、３０Ｄ、３１Ｃ、３１Ｄの側面には、三カ所のビス孔Ｄ４が上下方向に沿い、円弧部材連結部３０Ｃ、３０Ｄ同士、及び円弧部材連結部３１Ｃ、３１Ｄ同士を対面させたときに、夫々のビス孔Ｄ４が同軸となる位置に開孔されている。
【００５２】
このような円弧部材連結部３０Ｃ、３０Ｄ同士、及び円弧部材連結部３１Ｃ、３１Ｄ同士を、ビス孔Ｄ４を介してボルト・ナットＥで締め付けることで、直管側環状部材３０、３１が形成される。
【００５３】
円弧部材連結部３０Ｃ、３０Ｄ同士、及び円弧部材連結部３１Ｃ、３１Ｄ同士をボルト・ナットＥで締め付ける際には、円弧部材連結部３０Ｃ、３０Ｄを直管側連結部２２Ａに対面させ、円弧部材連結部３１Ｃ、３１Ｄを接続管側連結部２２Ｂに対面させて、夫々のビス孔Ｄ３、Ｄ４を介してボルト・ナットＥで締め付けることで、直管側環状部材３０、接続管側環状部材３１の形成と、この直管側環状部材３０、接続管側環状部材３１の連結部２２への連結とを行うことができる。
【００５４】
すなわち、円弧部材連結部３０Ｃ、３０Ｄ、及び円弧部材連結部３１Ｃ、３１Ｄが、保持環部３を連結部２２に連結する被連結部３０Ｅとして機能するため、固定部２に対する保持環部３の取付け作業、及び保持環部３による煙突Ｂの保持を迅速に行うことができる。
【００５５】
空間Ｓは、締め付けバンドＣの最も幅広の部位よりも幅広となるように設定されており、保持環部３を煙突Ｂに取り付けたときに、締め付けバンドＣが直管側環状部材３０、接続管側環状部材３１に接触しないようにすることができ、これによって、保持環部３による煙突Ｂの保持を確実に行うことができる。
【００５６】
このようなサポート装置１による煙突Ｂの支持方法は、壁面Ａ１に固定部２を取付け、次いで、円弧部材３０Ａと円弧部材３０Ｂで煙突Ｂの直管Ｂ１を径方向で挟み、この状態を保持しながら、固定部２の連結部２２における直管側連結部２２Ａに、円弧部材連結部３０Ｃ、３０Ｄでなる被連結部３０Ｅを対面させてボルト・ナットＥで締め付ける。
【００５７】
次に、円弧部材３１Ａと円弧部材３１Ｂで煙突Ｂの直管Ｂ１を径方向で挟み、この状態を保持しながら、固定部２の連結部２２における接続管側連結部２２Ｂに、円弧部材連結部３１Ｃ、３１Ｄでなる被連結部３０Ｅを対面させてボルト・ナットＥで締め付けることによって、煙突Ｂの支持を行うことができる。
【００５８】
また、調節板２Ａを使用する場合には、図６、図７に示すように、調節板２Ａを壁面Ａ１に取付け、この調節板２Ａに固定部２を長孔Ｅ１、Ｅ２からボルト・ナットＥで連結する。このとき、ボルト・ナットＥを緩めておき、固定部２がスライド可能な状態とすることが好ましい。
【００５９】
次に、円弧部材３０Ａと円弧部材３０Ｂで煙突Ｂの直管Ｂ１を径方向で挟み、この状態を保持しながら、固定部２の連結部２２における直管側連結部２２Ａに、円弧部材連結部３０Ｃ、３０Ｄでなる被連結部３０Ｅを対面させてボルト・ナットＥで締め付ける。
【００６０】
このとき、固定部２をスライドさせながら円弧部材３０Ａと円弧部材３０Ｂに対する固定部の位置を調整して、最適な位置においてボルト・ナットＥを締め付けることができる。
【００６１】
次に、円弧部材３１Ａと円弧部材３１Ｂで煙突Ｂの直管Ｂ１を径方向で挟み、この状態を保持しながら、固定部２の連結部２２における接続管側連結部２２Ｂに、円弧部材連結部３１Ｃ、３１Ｄでなる被連結部３０Ｅを対面させてボルト・ナットＥで締め付けることによって、煙突Ｂの支持を行うことができる。
【００６２】
固定部２は、常時、調節板２Ａを備えた形態としてもよく、この場合、壁面Ａ１と煙突Ｂとの距離が最も近い場合、固定部２の取付け部２０と調節板２Ａの取付け部２０Ａを接触するように対面させて、固定部２と調節板２Ａとボルト・ナットで締め付け固定することで、一体化することができる。
【００６３】
また、必要に応じて固定部２をスライドさせることで、壁面Ａ１と煙突Ｂの距離の変更に対応することができる。
【００６４】
以上の構成とするサポート装置１によると、締め付けバンドＣが巻回締め付けされる接合部Ｂ１０が空間Ｓに挿通された状態で、直管側環状部材３０が煙突Ｂの直管Ｂ１を保持し、接続管側環状部材３１が煙突Ｂの接続管Ｂ２を保持するので、締め付けバンドＣを接合部Ｂ１０の周面における好ましい位置に巻回締め付けできると共に、この締め付けバンドＣが邪魔にならずに保持環部３を接合部Ｂ１０の周面における好ましい位置に配置できる。
【００６５】
したがって、煙突Ｂを構成する直管Ｂ１と接続管Ｂ２との接合状態の保持の確実性を高めることができると共に、建物Ａの壁面Ａ１に沿って配置される煙突Ｂの保持を確実にでき、且つ煙突Ｂの破損や保持環部３の破損を防ぐことができる。
【００６６】
また、壁面Ａ１に取り付けられる調節板２Ａが固定部２をスライド可能に支持した形態の場合では、調節板２Ａに対して固定部２をスライドさせることによって、状況によって変更される壁面Ａ１と煙突Ｂとの距離にかかわらず、煙突Ｂを確実に保持することができる。
【００６７】
更に、調節板２Ａと固定部２とを、常時連結した形態としたサポート装置１である場合、壁面Ａ１と煙突Ｂとの距離が最も近い状態から最も遠い状態まで、部品を追加することなく、状況によって変更される壁面Ａ１と煙突Ｂとの距離に対応することができる。
【００６８】
次に、サポート装置１’の第二実施形態を図８、図９に基づいて説明する。尚、第一実施形態と重複する部位についての説明は、同符号を付すことにより省略する。
【００６９】
サポート装置１’は、保持部３が、煙突Ｂの周囲の少なくとも半周を超える範囲を囲む（平面Ｃ型を呈する）形状として煙突Ｂを保持するように形成されたものである。
【００７０】
この保持部３は、煙突Ｂの径方向から直管Ｂ１に嵌合される円弧部材３０Ｆと、煙突Ｂの径方向から接続管Ｂ２に嵌合される円弧部材３１Ｅとから構成され、固定部２に連結した状態で円弧部材３０Ｆと円弧部材３１Ｅとの間に空間Ｓが確保されている。
【００７１】
円弧部材３０Ｆと円弧部材３１Ｅは、前述の円弧部材３０Ｄと円弧部材３１Ｄとほぼ同形状であり、煙突Ｂの周囲の少なくとも半周を超える範囲を囲むことで、保持部３の開放方向（固定部２方向）への抜けを防止することができ、これによって、煙突Ｂを確実に保持することができる。
【００７２】
円弧部材３０Ｆの両端部には、円弧部材連結部３０Ｃと同構成とする円弧部材連結部３０Ｇが形成され、円弧部材３１Ｅの両端部には、円弧部材連結部３１Ｃと同構成とする円弧部材連結部３１Ｆが形成され、これらが被連結部３０Ｅとして機能するようにされている。
【００７３】
このようなサポート装置１’によると、第一実施形態のサポート装置１と同じ効果を奏する他、構成部材を少なくすることができるので、サポート装置１’の設置作業の迅速性を高めることができる。
【００７４】
尚、煙突Ｂは、図示するように、煙突Ｂの軸が上下方向となるように配した形態に限らず、この上下方向と壁面Ａ１に沿って交差する方向となるように配した形態を含み、この場合、保持環部３の軸を煙突Ｂの軸と平行となるように固定部２を壁面Ａ１に固定することで、上下方向と壁面Ａ１に沿って交差する方向となるように配した形態の煙突Ｂを支持できる。
【００７５】
また、第一実施形態のサポート装置１の被連結部３０Ｅは、例示したような、円弧部材連結部３０Ｃ、３０Ｄ、及び円弧部材連結部３１Ｃ、３１Ｄが、保持環部３を連結部２２に連結するための被連結部３０Ｅとして兼用する形態に限らず、保持環部３の周面に独立して設けた形態としてもよい。
【符号の説明】
【００７６】
Ａ：建物  Ａ１：壁面  Ｂ：煙突  Ｂ１：直管  Ｂ２：接続管  １：サポート装置
１’：サポート装置  ２：固定部  ３：保持部（保持環部）  ２０：取付け部
Ｃ：締め付けバンド  Ｓ：空間
【図１】
2015197238.tif 000003
【図２】
2015197238.tif 000004
【図３】
2015197238.tif 000005
【図４】
2015197238.tif 000006
【図５】
2015197238.tif 000007
【図６】
2015197238.tif 000008
【図７】
2015197238.tif 000009
【図８】
2015197238.tif 000010
【図９】
2015197238.tif 000011
【図１０】
2015197238.tif 000012